(57)【要約】【課題】対称構造タイプのスナップフィットについて、変形用間隙に十分な余裕を取れない条件の場合でも、挿入抵抗の増大を招くことがないようにする。【解決手段】スナップフィット１は、脚部７と係止頭部８を有するスナップ片３が変形用間隙４を挟んで対称的に配置されてなり、組付け元５の組付け相手６への組付けに用いられるようになっており、その変形用間隙を部分的に拡大させる間隙拡大部１４がスナップ片の先端部に設けられている。そしてこの間隙拡大部があることにより、係止頭部が組付け相手の組付け孔１５を貫通する前に互いに接触する状態になることで挿入抵抗が増大するといった事態の発生を避けることができる。【選択図】  図１
2009180323.tif 000002
【特許請求の範囲】
【請求項１】
脚部を有するとともに、前記脚部との間に係止段部を形成するようにして前記脚部の先端に設けられた係止頭部を有するスナップ片が変形用間隙を挟んで対称的に配置されてなり、組付け元の組付け相手への組付けに用いられるスナップフィットにおいて、
前記変形用間隙を部分的に拡大させる間隙拡大部が前記スナップ片の先端部に設けられていることを特徴とするスナップフィット。
【請求項２】
前記間隙拡大部は、前記係止頭部の前記変形用間隙に面する側で前記係止頭部に設けたテーパ面により形成されるか、または前記係止頭部の前記変形用間隙に面する側で前記係止頭部に設けた切欠きにより形成されていることを特徴とする請求項１に記載のスナップフィット。
【請求項３】
脚部を有するとともに、前記脚部との間に係止段部を形成するようにして前記脚部の先端に設けられた係止頭部を有するスナップ片が変形用間隙を挟んで対称的に配置されてなり、組付け元に結合した状態で前記組付け元の組付け相手への組付けに用いられるスナップフィットにおいて、
組付け元結合部が設けられ、前記組付け元結合部を前記組付け元に形成の結合孔に挿入させることで前記組付け元との結合がなされるようになっていることを特徴とするスナップフィット。
【発明の詳細な説明】
【技術分野】
【０００１】
本発明は、電子部品などの組付けに用いられるスナップフィットに係り、特に変形用間隙を挟んで対称的に配置されたスナップ片を有し、そのスナップ片を組付け相手に形成の組付け孔に弾性変形させつつ挿入して係止させることにより組付け相手に対する組付け元の組付けを得る構造のスナップフィットに関する。
【背景技術】
【０００２】
スナップフィットは、弾性変形可能なスナップ片を有しており、そのスナップ片の弾性変形性を利用することでワンタッチ的な操作により一方の要素（組付け元）を他方の要素（組付け先）に組付けることを可能とする組付け手段で、その構造タイプの１つとして、対称構造タイプ（軸対称タイプ）がある。
【０００３】
対称構造タイプのスナップフィットは、変形用間隙を挟んでスナップ片を軸対称的に配置した構造とされている。またそのスナップ片は、脚部を有するとともに、脚部との間に係止段部を形成するようにして設けられた係止頭部を有する構造とされている。このような対称構造タイプのスナップフィットは、対称配置のスナップ片を組付け相手に形成の組付け孔に挿入して係止させることにより組付け相手に対する組付け元の組付けを得るようになっている。より具体的には、組付け孔による係止頭部の押圧で変形用間隙を狭めるように弾性変形させつつスナップ片を組付け孔に挿入させ、そして係止頭部が組付け孔に貫通する状態まで挿入することでスナップ片の弾性変形を戻して係止段部を組付け孔の縁部に係止させるようにし、これにより組付け相手に対する組付け元の組付けを得るようになっている。
こうしたスナップフィットは、その組付け操作の簡易性から様々な分野で用いられている。例えば特許文献１に開示されるような使い方は、その代表的な例の１つである。特許文献１は、「コネクタの取付構造」に関し、電装品取付部にコネクタを移動可能に弾性保持する保持部材を一体成形し、その保持部材によりコネクタ嵌合時に相手側コネクタに応じたコネクタの位置調整を可能とし、そして電装品取付部にコネクタを移動可能に組付けるについて、スナップフィット（特許文献１では係止ピン）を用いるようにしている。具体的には、コネクタに対称構造タイプのスナップフィットを一体成形で固定的に結合して設け、そのスナップフィットのスナップ片を電装品取付部に形成の組付け孔（特許文献１では貫通孔）に挿入・係止させることでコネクタの電装品取付部に対する移動可能な組付けを得るようにしている。
【０００４】
【特許文献１】特開平１０−３２１２９１号公報
【発明の開示】
【発明が解決しようとする課題】
【０００５】
上述のように、対称構造タイプのスナップフィットでは、変形用間隙を挟んで軸対称的に配置したスナップ片を変形用間隙が狭まるように弾性変形させつつ組付け相手の組付け孔に挿入して係止させることで組付け相手に対する組付け元の組付けを得る。こうした対称構造タイプのスナップフィットでは、そのスナップ片を組付け孔に挿入する際の挿入抵抗が大きくなり過ぎて組付けの作業性を低下させることになるような場合がある。
【０００６】
例えば特許文献１における例のような電装品の組付けに用いる場合がそのような例である。電装品の組付けでは、組付けスペース上の制約などからスナップフィットにおける変形用間隙に十分な余裕を取れない場合がある。そしてそのような場合には、スナップ片の係止頭部が組付け孔を貫通する状態になる前に互いに接触する状態になってしまい、そのためにスナップ片の変形抵抗が急に大きくなることで挿入抵抗が急に大きくなり、組付けの作業性が低下することになる。
【０００７】
また電装品の組付けでは、特許文献１における例のように、組付け元に固定的に結合した状態にしたスナップフィットを介して組付け元を組付け相手に組付けるようにする場合が多くなるが、このようにスナップフィットを組付け元に固定的に結合する構造に起因しても挿入抵抗の増大問題を生じる。すなわち従来では、組付け元にスナップフィットを固定的に結合する構造を得るについて、組付け元とスナップフィットを射出成形で一体成形するようにしている。そしてそのために射出成形時の収縮の影響などで組付け元に対するスナップフィットのスナップ片の直立性が損なわれる場合、つまり組付け元に対してスナップ片が傾いた状態になってしまう場合があり、スナップ片の傾きが大きくなると、それに応じてスナップ片の挿入抵抗が大きくなり、組付けの作業性が低下することになる。
【０００８】
本発明は、以上のような事情を背景になされたものであり、対称構造タイプのスナップフィットについて、変形用間隙に十分な余裕を取れない条件の場合でも、挿入抵抗の増大を招くことがないようにすることを第１の課題とし、また組付け元にスナップフィットを固定的に結合する構造とする場合でも、挿入抵抗の増大を招くことがないようにすることを第２の課題としている。
【課題を解決するための手段】
【０００９】
本発明では、上記第１の課題を解決するために、脚部を有するとともに、前記脚部との間に係止段部を形成するようにして前記脚部の先端に設けられた係止頭部を有するスナップ片が変形用間隙を挟んで対称的に配置されてなり、組付け元の組付け相手への組付けに用いられるスナップフィットにおいて、前記変形用間隙を部分的に拡大させる間隙拡大部が前記スナップ片の先端部に設けられていることを特徴としている。
【００１０】
このようにスナップ片の先端部に変形用間隙を部分的に拡大させる間隙拡大部を設けたことにより、変形用間隙に十分な余裕を取れない場合でも、スナップ片の係止頭部が組付け孔を貫通する状態になる前に互いに接触する状態になるのを効果的に避けることができ、したがって挿入抵抗の増大を招くことを効果的に避けることができる。
【００１１】
また本発明では、上記のようなスナップフィットについて、前記間隙拡大部は、前記係止頭部の前記変形用間隙に面する側で前記係止頭部に設けたテーパ面により形成するか、または前記係止頭部の前記変形用間隙に面する側で前記係止頭部に設けた切欠きにより形成するのを好ましい形態としている。このような形態によれば、成形性に優れた構造で間隙拡大部を形成することができる。
【００１２】
また本発明では、上記第２の課題を解決するために、脚部を有するとともに、前記脚部との間に係止段部を形成するようにして前記脚部の先端に設けられた係止頭部を有するスナップ片が変形用間隙を挟んで対称的に配置されてなり、組付け元に結合した状態で前記組付け元の組付け相手への組付けに用いられるスナップフィットにおいて、組付け元結合部が設けられ、前記組付け元結合部を前記組付け元に形成の結合孔に挿入させることで前記組付け元との結合がなされるようになっていることを特徴としている。
【００１３】
このようにスナップフィットに組付け元結合部を設け、この組付け元結合部で組付け元との結合をなさせるようにしたことにより、スナップフィットを組付け元とは別体で成形することができる。このため成形時の収縮の影響などで組付け元に対するスナップ片の直立性が損なわれるようなことがなくなり、したがって組付け元にスナップフィットを固定的に結合する構造について、スナップ片の直立性に起因した挿入抵抗の増大という事態の発生を効果的に避けることができる。
【発明の効果】
【００１４】
以上のような本発明によれば、対称構造タイプのスナップフィットについて、変形用間隙に十分な余裕を取れない条件の場合でも、挿入抵抗の増大を招くことがないようにすることができ、また組付け元にスナップフィットを固定的に結合する構造とする場合でも、挿入抵抗の増大を招くことがないようにすることができる。
【発明を実施するための最良の形態】
【００１５】
以下、本発明を実施するための形態について説明する。図１に、第１の実施形態によるスナップフィット１の構成を示す。本実施形態のスナップフィット１は、基部２から一対のスナップ片３、３を間に変形用間隙４が挟まる状態で軸対称的にして延設した構造とされ、その基部２を介して組付け元５に一体成形で結合させられており、組付け元５を組付け相手６に組付けるのに用いられる。ここで、組付け元５は、例えば電子部品であり、組付け相手６は例えば電子部品を実装する回路基板である。なお、図では組付け元５や組付け相手６を模式化して示してある。
【００１６】
スナップ片３は、脚部７と係止頭部８を有している。脚部７は、例えば半円柱状に形成され、所定の長さＬを与えられている。脚部７の長さＬは、後述のようにして組付け元５を組付け相手６に組付けた状態（図２の（ｂ））で、組付け相手６に対する組付け元５の矢印Ａのような相対移動を可能とするについての許容相対移動距離に基づいて与えられる。
【００１７】
係止頭部８は、変形用間隙４に臨む側の側面を内側テーパ面１１とするとともに、この内側テーパ面１１に対向する側の側面を外側テーパ面１２とし、これら内側テーパ面１１と外側テーパ面１２により先端側に向けて先細りとなる形状とされ、脚部７との間に係止段部１３を形成するようにして脚部７の先端に設けられている。このような係止頭部８における内側テーパ面１１は、一対のスナップ片３、３それぞれの内側テーパ面１１が組み合わさることにより、変形用間隙４を部分的に拡大させる間隙拡大部１４をスナップ片３の先端部において形成する。間隙拡大部１４は、後述のようにしてスナップ片３、３を組付け相手６に形成の組付け孔１５に挿入する際に係止頭部８が組付け孔１５を貫通する前に互いに接触する状態になるのを避けるために機能する。したがって内側テーパ面１１のテーパ角度は、可能な変形用間隙４の幅との関係で係止頭部８の接触を避けるのに必要となる幅の間隙拡大部１４を形成できるように設定されることになる。
【００１８】
図２に、スナップフィット１により組付け元５を組付け相手６に組付ける様子を示す。図２の（ａ）は、係止頭部８の一部が組付け孔１５に挿入した状態を示し、図２の（ｂ）は、係止頭部８が組付け孔１５を貫通して組付けが完了した状態を示している。図２の（ａ）に示すように、係止頭部８は、組付け孔１５に挿入される際に組付け孔１５による押圧を外側テーパ面１２で受け、これによりスナップ片３が変形用間隙４を狭めるように弾性変形しつつ組付け孔１５に挿入する。そして図２の（ｂ）に示すように、係止頭部８が組付け孔１５を貫通した状態になると、スナップ片３の弾性変形が戻って係止段部１３が組付け孔１５の縁部に係止する状態となり、これにより組付け相手６に対する組付け元５の組付けが得られる。
【００１９】
このようなスナップフィット１による組付けにあっては、組付けスペース上の制約などから変形用間隙４の幅を十分なものとすることができない場合であっても、間隙拡大部１４があることにより、係止頭部８が組付け孔１５を貫通する前に互いに接触する状態になるのを避けることができ、したがって係止頭部８の貫通前接触による挿入抵抗の増大といった事態の発生を効果的に避けることができる。
【００２０】
こうしたスナップフィット１における効果の理解のために対照例を図３に示す。図３は、スナップフィット１と同様な構造で、ただ間隙拡大部１４を有しないスナップフィット１ｐによる組付ける様子である。スナップフィット１ｐでは、変形用間隙４の幅が十分でないと、図３の（ｂ）に示すように、係止頭部８が組付け孔１５を貫通する前に互いに接触する状態になり、そのためにスナップ片３の変形抵抗が急に大きくなることで挿入抵抗が急に大きくなる。そしてこのことで組付けの作業性が低下してしまう。
【００２１】
図４に、第２の実施形態によるスナップフィット２１の構成を示す。本実施形態のスナップフィット２１は、係止頭部８に設けた切欠き２２で間隙拡大部２３を形成している点で第１の実施形態のスナップフィット１と相違している。
【００２２】
切欠き２２は、係止頭部８の変形用間隙４に臨む側の側面を断面がＬ字形状となるように切り欠くことで形成されている。このような係止頭部８における切欠き２２は、一対のスナップ片３、３それぞれの切欠き２２が組み合わさることにより、変形用間隙４を部分的に拡大させる間隙拡大部２３をスナップ片３の先端部において形成し、この間隙拡大部２３が第１の実施形態における間隙拡大部１４と同様に機能する。すなわち図４の（ｂ）に示すように、変形用間隙４の幅を十分なものとすることができない場合であっても、間隙拡大部２３があることにより、係止頭部８が組付け孔１５を貫通する前に互いに接触する状態になるのを避けることができる。
【００２３】
なお、この他の構成などについては第１の実施形態のスナップフィット１と同様なので、共通する構成要素には図１におけるのと同一の符号を付し、それらの説明については上での説明を援用するものとする。
【００２４】
図５に、第３の実施形態によるスナップフィット３１の構成を示す。本実施形態のスナップフィット３１は、組付け元結合部３２が基部２に設けられ、この組付け元結合部３２を組付け元５に形成の結合孔３３に挿入させることで組付け元５との結合をなすようにされている点に特徴がある。
【００２５】
組付け元結合部３２の結合孔３３への挿入による結合は、バヨネット式でなすようにされている。具体的には、組付け元結合部３２にキー導入溝３４とキー嵌合溝３５を設け、一方、結合孔３３にキー部３６を設けている。そして組付け元結合部３２をそのキー導入溝３４が結合孔３３のキー部３６に位置対応する状態にして結合孔３３に挿入することで、キー部３６がキー導入溝３４を通じてキー嵌合溝３５まで導かれ、その状態でスナップフィット３１をひねることでキー部３６がキー嵌合溝３５に嵌合して組付け元結合部３２の結合孔３３への挿入・結合がなされ、図６に示すような組付け元５に対するスナップフィット３１の固定的な結合が得られる。
【００２６】
このように組付け元結合部３２を設け、この組付け元結合部３２で組付け元５との結合をなさせるようにしたことにより、スナップフィット３１を組付け元とは別体で成形することができる。このため成形時の収縮の影響などで組付け元５に対するスナップ片３の直立性が損なわれるようなことがなくなり、したがって組付け元５にスナップフィット３１を固定的に結合する構造について、スナップ片３の直立性に起因した挿入抵抗の増大という事態の発生を効果的に避けることができる。
【００２７】
なお、この他の構成などについては第１の実施形態のスナップフィット１と同様なので、共通する構成要素には図１におけるのと同一の符号を付し、それらの説明については上での説明を援用するものとする。
【００２８】
図７に、第４の実施形態によるスナップフィット４１の構成を示す。本実施形態のスナップフィット４１は、基部２に設けた組付け元結合部４２で組付け元５との結合をなさせるという点では第３の実施形態のスナップフィット３１と同様で、その組付け元結合部４２の構造において相違している。
【００２９】
すなわち組付け元結合部４２は、スナップフィット構造で構成されている。具体的には、組付け元５の組付け相手６への組付け用のスナップ片３と同様に脚部４３と係止頭部４４を有するスナップ片４５を間に変形用間隙４６が挟まる状態で軸対称にして一対で延設した構造として組付け元結合部４２を形成している。
【００３０】
このような組付け元結合部４２の結合孔３３への挿入・結合は、スナップ片３による組付け元５の組付け相手６への組付けの場合と同様にスナップ片４５を用いてなされ、それにより図７の（ｂ）に示すような組付け元５に対するスナップフィット４１の固定的な結合が得られる。
【００３１】
なお、この他の構成などについては第１の実施形態のスナップフィット１や第３の実施形態のスナップフィット３１と同様なので、共通する構成要素には図１におけるのと同一の符号を付し、それらの説明については上での説明を援用するものとする。
【００３２】
図８に、第５の実施形態によるスナップフィット５１の構成を示す。本実施形態のスナップフィット５１は、基本的には第４の実施形態のスナップフィット４１と同様である。相違しているのは、第１の実施形態のスナップフィット１におけるのと同様なスナップ片セット（一対のスナップ片３と変形用間隙４のセット）を基部２の各端について対称にして設け、その任意の一方を組付け元５の組付け相手６への組付け用として用い、他方を組付け元５に対するスナップフィット５１の固定的な結合のための組付け元結合部５２として用いることができるようにすることで、使い勝手を高めるようにしている点である。
【００３３】
なお、この他の構成などについては第１の実施形態のスナップフィット１や第４の実施形態のスナップフィット４１と同様なので、共通する構成要素には図１におけるのと同一の符号を付し、それらの説明については上での説明を援用するものとする。
【００３４】
以上、本発明を実施するための形態について説明したが、これらは代表的な例に過ぎず、本発明はその趣旨を逸脱することのない範囲で様々な形態で実施することができる。
【図面の簡単な説明】
【００３５】
【図１】第１の実施形態によるスナップフィットの構成を示す図である。
【図２】第１の実施形態によるスナップフィットでの組付けの様子を示す図である。
【図３】第１の実施形態によるスナップフィットにおける効果の理解のために対照例を示す図である。
【図４】第２の実施形態によるスナップフィットの構成を示す図である。
【図５】第３の実施形態によるスナップフィットの構成を示す図である。
【図６】第３の実施形態によるスナップフィットを組付け元に固定的に結合した状態を示す図である。
【図７】第４の実施形態によるスナップフィットの構成を示す図である。
【図８】第５の実施形態によるスナップフィットの構成を示す図である。
【符号の説明】
【００３６】
１    スナップフィット
３    スナップ片
４    変形用間隙
５    組付け元
６    組付け相手
７    脚部
８    係止頭部
１１    内側テーパ面（テーパ面）
１３    係止段部
１４、２３    間隙拡大部
２２    切欠き
３２    組付け元結合部
３３    結合孔
【図１】
2009180323.tif 000003
【図２】
2009180323.tif 000004
【図３】
2009180323.tif 000005
【図４】
2009180323.tif 000006
【図５】
2009180323.tif 000007
【図６】
2009180323.tif 000008
【図７】
2009180323.tif 000009
【図８】
2009180323.tif 000010